(57)【要約】【課題】中央部分に帯部分を有し、上側および下側部分が単層の布である衣服と、その製造方法とを提供すること。【解決手段】上側部分１０と、下側部分２０と、前記上側部分１０と前記下側部分２０との間の連結部の帯部分３０とからなる一般に管状の丸編み衣服８を構成する。丸編み衣服８において、帯部分３０には、電子装置２００が収容され、電子装置２００は、たとえば、電極システム３２を介して、衣服装着者の心電信号を受け、それを心電状態を示す信号に変換して外部に発信し、その信号を受信することによって、衣服装着者の心電状態を知ることができる。【選択図】図１
2008111225.tif 000002
【特許請求の範囲】
【請求項１】
着用物を製作するための丸編管体において、
前記着用物は、
第１および第２の管状端部を有する第１の単層管状部分と、
第１および第２の管状端部を有する管状二重つぎ目部分または連結部分と、
第１および第２の管状端部を有する第２の単層管状部分と、
前記連結部分内の折畳み部と、
前記連結部分が折り畳まれ、つぎ目部分または帯部分を形成しているときに、前記連結部分において、前記第１の管状部分と前記第２の管状部分とを互いに接合させる手段とを有し、
前記連結部分の第１の管状端部は前記第１の管状部分の第２の管状端部に接続され、
前記第２の管状部分の第１の管状端部は前記連結部分の第２の管状端部に接続されていることを特徴とする丸編管体。
【請求項２】
請求項１に記載の丸編管体において、前記連結部分は、自身内に形成された布地電極を有することを特徴とする丸編管体。
【請求項３】
請求項１に記載の丸編管体において、該丸編管体は縫い目なしであり、前記帯部分は、着用者の胸部、胴部、腹部、脚部、腕部または前頭部のまわりに巻きついて接触するように前記着用物内に配置されていることを特徴とする丸編管体。
【請求項４】
請求項２に記載の丸編管体において、前記連結部分を折畳むことは、第１の布地電極が前記連結部分内に形成される第２の布地電極と物理的かつ電気的に接触する原因となることを特徴とする丸編管体。
【請求項５】
請求項１に記載の丸編管体において、前記帯部分は、電気または電子装置もしくは電気または電子部品がその中に挿入、取付けまたは配設されうる中央開口部を有することを特徴とする丸編管体。
【請求項６】
請求項４に記載の丸編管体において、前記帯部分は、電気または電子装置もしくは電気または電子部品がその中に挿入、取付けまたは配設され、１個以上の前記布地電極と電気的に接触しうる中央開口部を有することを特徴とする丸編管体。
【請求項７】
請求項５に記載の丸編管体において、前記帯部分内の中央開口部は、電子装置または部品を受け入れるためのスロットと連通することを特徴とする丸編管体。
【請求項８】
請求項５に記載の丸編管体において、前記電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする丸編管体。
【請求項９】
請求項５に記載の丸編管体において、前記電気部品は、電線、ケーブル、相互連結部、コネクタ、ＲＩＰバンドまたはスナップであることを特徴とする丸編管体。
【請求項１０】
請求項１に記載の丸編管体において、前記第２の単層管状部分の第２の端部は、前記第１の単層管状部分と前記連結部分または第２の単層管状部分とが接合される位置に形成される線において前記つぎ目部分または帯部分の上に折り返されて、前記第２の単層管状部分が前記帯部分を覆うようになることを特徴とする丸編管体。
【請求項１１】
請求項１に記載の丸編管体において、前記第１の単層管状部分の第１の端部は、仕上げ加工を施されて、肩部分と、腕部を通す孔と、頚部を通す孔とが形成されることを特徴とする丸編管体。
【請求項１２】
請求項１に記載の丸編管体において、前記第２の単層管状部分の前記第２の端部は、仕上げ加工を施されて、脚を通す孔またはシャツの縁を作ることを特徴とする丸編管体。
【請求項１３】
請求項１に記載の丸編管体において、前記第１の単層管体の前記第１の端部は、仕上げ加工を施されて、シャツ、つなぎ服、レオタード、腕バンド、手首バンド、帽子、レギンス、ストッキングおよび靴下からなる群から選ばれる前記着用物の開口部を形成することを特徴とする丸編管体。
【請求項１４】
請求項１２に記載の丸編管体において、前記第２の単層管体の前記第２の端部は、仕上げ加工を施されて、シャツ、つなぎ服、レオタード、腕バンド、手首バンド、帽子、レギンス、ストッキングおよび靴下からなる群から選ばれる前記着用物の開口部を形成することを特徴とする丸編管体。
【請求項１５】
請求項１に記載の丸編管体において、前記第１および第２の単層管状部分と前記連結部分とは、１つの縫い目なし丸編管体から連続的に形成されることを特徴とする丸編管体。
【請求項１６】
請求項１に記載の丸編管体において、第２のつぎ目部分または帯部分をさらに有することを特徴とする丸編管体。
【請求項１７】
縫い目なし丸編着用物を製作する方法において、
第１の管状部分を編み出す第１のコースを実行する段階と、
管状つぎ目部分または連結部分を前記第１の管状部分に編み付けてから編み出す第２のコースを実行する段階と、
第２の管状部分を前記連結部分に編み付けてから編み出す第３のコースを実行する段階と、
前記連結部分内の折り目において前記第２の管状部分を前記第１の管状部分の上に折り畳む段階と、
前記折り目から離間する位置において前記第１の管状部分を前記第２の管状部分に前記管状部分の全周にわたって接合して、つぎ目部分または帯部分を形成する段階と、
前記第２の管状部分を折り返す段階とを有することを特徴とする縫い目なし丸編着用物を製作する方法。
【請求項１８】
請求項１７に記載の縫い目なし丸編着用物を製作する方法において、
円筒管状の前記連結部分内において、着用者の皮膚に接触する第１の電極と電子装置に接続される第２の電極とを形成する段階をさらに有し、
前記第１の電極は、前記連結部分が折り畳まれた後に、前記帯部分内において前記第２の電極と物理的に接触することを特徴とする縫い目なし丸編着用物を製作する方法。
【請求項１９】
請求項１７に記載の縫い目なし丸編着用物を製作する方法において、腕部を通す孔と頚部を通す孔とを完成させる段階をさらに有することを特徴とする縫い目なし丸編着用物を製作する方法。
【請求項２０】
請求項１９に記載の縫い目なし丸編着用物を製作する方法において、前記第１の管状部分における前記腕部を通す孔と前記頚部を通す孔とを完成させるために、肩縫いを行う段階をさらに有することを特徴とする縫い目なし丸編着用物を製作する方法。
【請求項２１】
請求項１７に記載の縫い目なし丸編着用物を製作する方法において、前記第２の管状部分の下縁部において脚を通す孔を完成させる段階をさらに有することを特徴とする縫い目なし丸編着用物を製作する方法。
【請求項２２】
請求項１７に記載の縫い目なし丸編着用物を製作する方法において、接合は、縫い合わせ、編み合わせまたは接着留めによって行われることを特徴とする縫い目なし丸編着用物を製作する方法。
【請求項２３】
請求項１７に記載の縫い目なし丸編着用物を製作する方法において、前記第２の管状部分は、前記第２の管状部分が折り返されると、前記帯部分を覆うことを特徴とする縫い目なし丸編着用物を製作する方法。
【請求項２４】
請求項１７に記載の縫い目なし丸編着用物を製作する方法において、前記第１の管状部分の端部を仕上げ加工して、シャツ、つなぎ服、レオタード、アームバンド、手首バンド、帽子、レギンス、ストッキングおよび靴下からなる群から選ばれる該着用物の開口部を形成する段階をさらに有することを特徴とする縫い目なし丸編着用物を製作する方法。
【請求項２５】
請求項１７に記載の縫い目なし丸編着用物を製作する方法において、前記第２の管状部分の端部を仕上げ加工して、シャツ、つなぎ服、レオタード、アームバンド、手首バンド、帽子、レギンス、ストッキングおよび靴下からなる群から選ばれる該着用物の開口部を形成する段階をさらに有することを特徴とする縫い目なし丸編着用物を製作する方法。
【請求項２６】
請求項１７に記載の縫い目なし丸編着用物を製作する方法において、前記帯部分の内側に形成されるポケットと連通するスリットまたは開口部を形成する段階をさらに有することを特徴とする縫い目なし丸編着用物を製作する方法。
【請求項２７】
請求項１８に記載の縫い目なし丸編着用物を製作する方法において、電子装置を前記帯部分内に、前記帯部分に形成されるスリットを介して挿入するとともに前記電子装置を少なくとも１個の前記電極に接続する段階をさらに有することを特徴とする縫い目なし丸編着用物を製作する方法。
【請求項２８】
請求項２６に記載の縫い目なし丸編着用物を製作する方法において、電子装置を前記開口部内に挿入する段階をさらに有することを特徴とする縫い目なし丸編着用物を製作する方法。
【請求項２９】
請求項２６に記載の縫い目なし丸編着用物を製作する方法において、前記ポケット内に収納される電気または電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする縫い目なし丸編着用物を製作する方法。
【請求項３０】
請求項２６に記載の縫い目なし丸編着用物を製作する方法において、前記ポケット内に収納される電気または電子部品は、電線、ケーブル、相互連結部、コネクタ、ＲＩＰバンドまたはスナップであることを特徴とする縫い目なし丸編着用物を製作する方法。
【請求項３１】
請求項１７に記載の縫い目なし丸編着用物を製作する方法において、
第２の管状つぎ目部分または連結部分を前記第２の管状部分に編み付けてから編み出す第４のコースを実行する段階と、
第３の管状部分を前記第２の連結部分に編み付けてから編み出す第５のコースを実行する段階と、
前記第２の連結部分内の折り目において前記第３の管状部分を前記第２の管状部分の上に折り畳む段階と、
前記折り目から離間する位置において、前記第２の管状部分を前記第３の管状部分に前記管状部分の全周にわたって接合して、第２のつぎ目部分または帯部分を形成する段階と、
前記第３の管状部分を折り返す段階とをさらに有することを特徴とする縫い目なし丸編着用物を製作する方法。
【請求項３２】
人体胴部に適合する継目なし丸編着用物を製作する、縫い目なし丸編着用物を製作する方法において、
単層の管体を編んで形成する段階と、
前記単層の管体を折り目のまわりにおいて折り畳んで、内側および外側部分を有する二重層管体を形成する段階と、
前記折り目から、あらかじめ設定された距離において前記二重層管体の全周にわたる接合線に沿って前記管体の部分を互いに接合して、円筒管状の管状帯部分または二重つぎ目部分を形成する段階と、
前記二重層の前記外側部分を前記内側部分から離すともに、前記外側部分を前記接合線のまわりにおいて折り返して、該着用物の単層の上側部分と、帯部分と、単層の下側部分とを形成する段階とを有し、
前記帯部分は、該着用物が着用されると、人体胴部に接触することを特徴とする縫い目なし丸編着用物を製作する方法。
【請求項３３】
請求項３２に記載の縫い目なし丸編着用物を製作する方法において、前記管体において前記折り目の両側に、着用者の皮膚に接触する第１の電極と電子装置に接続される第２の電極とを形成する段階をさらに有し、前記第１の電極は、前記管体が折り畳まれた後には、前記帯部分内において前記第２の電極に物理的に接触することを特徴とする縫い目なし丸編着用物を製作する方法。
【請求項３４】
請求項３２に記載の縫い目なし丸編着用物を製作する方法において、前記帯部分の内側部分と連通する開口部を形成する段階をさらに有することを特徴とする縫い目なし丸編着用物を製作する方法。
【請求項３５】
請求項３２に記載の縫い目なし丸編着用物を製作する方法において、前記上側部分において頚部を通す孔と腕部を通す孔とを完成させる段階をさらに有することを特徴とする縫い目なし丸編着用物を製作する方法。
【請求項３６】
請求項３５に記載の縫い目なし丸編着用物を製作する方法において、前記上側部分において肩縫いを行なって、頚部を通す孔と腕部を通す孔とを完成させる段階をさらに有することを特徴とする丸編着用物を製作する方法。
【請求項３７】
請求項３２に記載の縫い目なし丸編着用物を製作する方法において、前記下側部分において脚部を通す孔を仕上げ加工する段階をさらに有することを特徴とする丸編着用物を製作する方法。
【請求項３８】
請求項３２に記載の縫い目なし丸編着用物を製作する方法において、接合は、縫い合わせ、編み合わせ、熱封着、スポット接着および棒止めからなる群から選ばれることを特徴とする縫い目なし丸編着用物を製作する方法。
【請求項３９】
請求項３３に記載の縫い目なし丸編着用物を製作する方法において、電子装置を前記帯部分内に挿入する段階をさらに有することを特徴とする縫い目なし丸編着用物を製作する方法。
【請求項４０】
請求項３３に記載の縫い目なし丸編着用物を製作する方法において、電子装置を前記帯部分内に、前記帯部分に形成される開口部を介して挿入するとともに前記電子装置を前記第１および第２の電極に接続する段階をさらに有することを特徴とする縫い目なし丸編着用物を製作する方法。
【請求項４１】
請求項４０に記載の縫い目なし丸編着用物を製作する方法において、前記電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする縫い目なし丸編着用物を製作する方法。
【請求項４２】
請求項４０に記載の縫い目なし丸編着用物を製作する方法において、前記帯部分に収納される電気または電子部品は、電線、ケーブル、相互連結部、コネクタ、ＲＩＰバンドまたはスナップであることを特徴とする縫い目なし丸編着用物を製作する方法。
【請求項４３】
請求項３２に記載の縫い目なし丸編着用物を製作する方法において、前記帯部分内または前記帯部分上に電極を形成する段階をさらに有することを特徴とする縫い目なし丸編着用物を製作する方法。
【請求項４４】
請求項４３に記載の縫い目なし丸編着用物を製作する方法において、前記電極は、前記管体内に一体的に編み込まれる電極と、縫い付けられる電極と、前記帯部分内において重なり合う前記接合線の両側の第１および第２の布地電極と、導電性繊維接合部を介して電気的に接続される層電極と、熱圧着加工される金属ポリマー電極とからなる群から選ばれることを特徴とする縫い目なし丸編着用物を製作する方法。
【請求項４５】
請求項３２に記載の縫い目なし丸編着用物を製作する方法において、第２の周方向の管状帯部分または二重つぎ目部分を形成する段階をさらに有し、前記第２の帯部分は、該着用物が着用されると、人体胴部に接触することを特徴とする縫い目なし丸編着用物を製作する方法。
【請求項４６】
縫い目なし丸編着用物を製作する方法において、
単層の管体を編む段階と、
拾い縫いを用いて前記管体内につぎ目部分または帯部分を形成する段階と、
前記単層の管体の一部分を前記つぎ目部分または帯部分の上に折り畳む段階と、
前記管体を仕上げ加工して、該着用物を形成する段階とを有し、
前記帯部分は、該着用物を着用する着用者の皮膚に接触することを特徴とする縫い目なし丸編着用物を製作する方法。
【請求項４７】
請求項４６に記載の縫い目なし丸編着用物を製作する方法において、電極を前記帯部分内または帯部分上に形成する段階をさらに有することを特徴とする縫い目なし丸編着用物を製作する方法。
【請求項４８】
請求項４６に記載の縫い目なし丸編着用物を製作する方法において、拾い縫いを用いて前記管体に第２のつぎ目部分または帯部分を形成する段階をさらに有し、前記第２の帯部分は、該着用物を着用する着用者の皮膚に接触することを特徴とする縫い目なし丸編着用物を製作する方法。
【発明の詳細な説明】
【技術分野】
【０００１】
本発明は、着用物を製作するための丸編管体、および、縫い目なし丸編着用物を製作する方法に関し、特に、布地電極を含むようになっている帯部分を有する着用物とこうした着用物を製作する方法に関する。すなわち、本発明は、特に、継目なし丸編により形成されるとともに、着用者の胴部のまわりにぴったりとフィットする帯部分を有する着用物または衣服において、前記帯部分は、着用者の生体生理学的信号等の信号を監視する布地電極または電極システムを有する着用物または衣服に関する。電極に加えて、センサ、コネクタおよび電線等のその他の部品が、前記帯部分内または帯部分上に内蔵されうる。
【背景技術】
【０００２】
コーニンクレッカ・フィリップス・エレクトロニクスＮ．Ｖ．（Koninklijke Philips Electronics N.V.）に譲渡された米国特許出願（下記特許文献１に記載）に、衣服そのものより一般に小さい寸法のセンサ帯を有するルーズフィット形衣服が開示されている。このセンサ帯は弾性を有して、使用者の身体にぴったりと沿う一方で、衣服の残りの部分は相対的にゆったりしている。このセンサ帯は、該帯内に内蔵されるセンサ電極を着用者の身体に当接させて保持する。センサ帯は、衣服の編成工程において編み針を変更して丸編の管体直径を小さくすることによって形成される高弾性かつ可撓性の帯ひもまたは連結部分により衣服の残りの部分に取り付けられ、編成作業の時間と複雑さとがさらに有意に増加する。
【０００３】
継目なし丸編生地は、丸編生地の１個以上の縁部または耳において帯部分またはつぎ目部分を備えて形成されてきた。帯部分は、一般に、装飾、補強または着用中の衣服の支持またはこれらの何らかの組合せに用いられる二つ折り縁部である。サラ・リー社（Sara Lee Corporation）に譲渡された米国特許（下記特許文献２に記載）に、下側帯部分を有する丸編ブラジャー構造が示されている。アルバ・ウォルデンシアン社（Alba-Waldensian, Inc.）に譲渡された米国特許（下記特許文献３に記載）には、ブラジャーの下側縁部に一体編成の円筒状つぎ目部分または帯部分を有するまた他のブラジャー構造が示されている。
【特許文献１】米国特許出願第２００６/０１１７８０５号公報
【特許文献２】米国特許第６，８８６，３６７号公報
【特許文献３】米国特許第６，１７８，７８４号公報
【発明の開示】
【発明が解決しようとする課題】
【０００４】
これまで、完成品のニット衣料の中央部分に帯部分として残留することを意図される一体編成の帯部分を編地の中央部分に配置して形成する方法は知られていなかった。特に、衣服の上側および下側部分が単層の布である衣服の中央部分に帯部分を形成する方法は、示されていなかった。
【０００５】
本発明は上記の問題に鑑みてなされたものであり、本発明が解決しようとする課題は、特に、中央部分に帯部分を有し、上側および下側部分が単層の布である衣服と、その製造方法とを提供することにある。
【課題を解決するための手段】
【０００６】
本発明においては、上記課題を解決するために、請求項１に記載のように、
着用物を製作するための丸編管体において、前記着用物は、第１および第２の管状端部を有する第１の単層管状部分と、第１および第２の管状端部を有する管状二重つぎ目部分または連結部分と、第１および第２の管状端部を有する第２の単層管状部分と、前記連結部分内の折畳み部と、前記連結部分が折り畳まれ、つぎ目部分または帯部分を形成しているときに、前記連結部分において、前記第１の管状部分と前記第２の管状部分とを互いに接合させる手段とを有し、前記連結部分の第１の管状端部は前記第１の単層管状部分の第２の管状端部に接続され、前記第２の単層管状部分の第１の管状端部は前記連結部分の第２の管状端部に接続されていることを特徴とする丸編管体を構成する。
【０００７】
また、本発明においては、請求項２に記載のように、
請求項１に記載の丸編管体において、前記連結部分は、自身内に形成された布地電極を有することを特徴とする丸編管体を構成する。
【０００８】
また、本発明においては、請求項３に記載のように、
請求項１に記載の丸編管体において、該丸編管体は縫い目なしであり、前記帯部分は、着用者の胸部、胴部、腹部、脚部、腕部または前頭部のまわりに巻きついて接触するように前記着用物内に配置されていることを特徴とする丸編管体を構成する。
【０００９】
また、本発明においては、請求項４に記載のように、
請求項２に記載の丸編管体において、前記連結部分を折畳むことは、第１の布地電極が前記連結部分内に形成される第２の布地電極と物理的かつ電気的に接触する原因となることを特徴とする丸編管体を構成する。
【００１０】
また、本発明においては、請求項５に記載のように、
請求項１に記載の丸編管体において、前記帯部分は、電気または電子装置もしくは電気または電子部品がその中に挿入、取付けまたは配設されうる中央開口部を有することを特徴とする丸編管体を構成する。
【００１１】
また、本発明においては、請求項６に記載のように、
請求項４に記載の丸編管体において、前記帯部分は、電気または電子装置もしくは電気または電子部品がその中に挿入、取付けまたは配設され、１個以上の前記布地電極と電気的に接触しうる中央開口部を有することを特徴とする丸編管体を構成する。
【００１２】
また、本発明においては、請求項７に記載のように、
請求項５に記載の丸編管体において、前記帯部分内の中央開口部は、電子装置または部品を受け入れるためのスロットと連通することを特徴とする丸編管体を構成する。
【００１３】
また、本発明においては、請求項８に記載のように、
請求項５に記載の丸編管体において、前記電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする丸編管体を構成する。
【００１４】
また、本発明においては、請求項９に記載のように、
請求項５に記載の丸編管体において、前記電気部品は、電線、ケーブル、相互連結部、コネクタ、ＲＩＰバンドまたはスナップであることを特徴とする丸編管体を構成する。
【００１５】
また、本発明においては、請求項１０に記載のように、
請求項１に記載の丸編管体において、前記第２の単層管状部分の第２の端部は、前記第１の単層管状部分と前記連結部分または第２の単層管状部分とが接合される位置に形成される線において前記つぎ目部分または帯部分の上に折り返されて、前記第２の単層管状部分が前記帯部分を覆うようになることを特徴とする丸編管体を構成する。
【００１６】
また、本発明においては、請求項１１に記載のように、
請求項１に記載の丸編管体において、前記第１の単層管状部分の第１の端部は、仕上げ加工を施されて、肩部分と、腕部を通す孔と、頚部を通す孔とが形成されることを特徴とする丸編管体を構成する。
【００１７】
また、本発明においては、請求項１２に記載のように、
請求項１に記載の丸編管体において、前記第２の単層管状部分の前記第２の端部は、仕上げ加工を施されて、脚を通す孔またはシャツの縁を作ることを特徴とする丸編管体を構成する。
【００１８】
また、本発明においては、請求項１３に記載のように、
請求項１に記載の丸編管体において、前記第１の単層管体の前記第１の端部は、仕上げ加工を施されて、シャツ、つなぎ服、レオタード、腕バンド、手首バンド、帽子、レギンス、ストッキングおよび靴下からなる群から選ばれる前記着用物の開口部を形成することを特徴とする丸編管体を構成する。
【００１９】
また、本発明においては、請求項１４に記載のように、
請求項１２に記載の丸編管体において、前記第２の単層管体の前記第２の端部は、仕上げ加工を施されて、シャツ、つなぎ服、レオタード、腕バンド、手首バンド、帽子、レギンス、ストッキングおよび靴下からなる群から選ばれる前記着用物の開口部を形成することを特徴とする丸編管体を構成する。
【００２０】
また、本発明においては、請求項１５に記載のように、
請求項１に記載の丸編管体において、前記第１および第２の単層管状部分と前記連結部分とは、１つの縫い目なし丸編管体から連続的に形成されることを特徴とする丸編管体を構成する。
【００２１】
また、本発明においては、請求項１６に記載のように、
請求項１に記載の丸編管体において、第２のつぎ目部分または帯部分をさらに有することを特徴とする丸編管体を構成する。
【００２２】
また、本発明においては、請求項１７に記載のように、
縫い目なし丸編着用物を製作する方法において、第１の管状部分を編み出す第１のコースを実行する段階と、管状つぎ目部分または連結部分を前記第１の管状部分に編み付けてから編み出す第２のコースを実行する段階と、第２の管状部分を前記連結部分に編み付けてから編み出す第３のコースを実行する段階と、前記連結部分内の折り目において前記第２の管状部分を前記第１の管状部分の上に折り畳む段階と、前記折り目から離間する位置において前記第１の管状部分を前記第２の管状部分に前記管状部分の全周にわたって接合して、つぎ目部分または帯部分を形成する段階と、前記第２の管状部分を折り返す段階とを有することを特徴とする縫い目なし丸編着用物を製作する方法を構成する。
【００２３】
また、本発明においては、請求項１８に記載のように、
請求項１７に記載の縫い目なし丸編着用物を製作する方法において、円筒管状の前記連結部分内において、着用者の皮膚に接触する第１の電極と電子装置に接続される第２の電極とを形成する段階をさらに有し、前記第１の電極は、前記連結部分が折り畳まれた後に、前記帯部分内において前記第２の電極と物理的に接触することを特徴とする縫い目なし丸編着用物を製作する方法を構成する。
【００２４】
また、本発明においては、請求項１９に記載のように、
請求項１７に記載の縫い目なし丸編着用物を製作する方法において、腕部を通す孔と頚部を通す孔とを完成させる段階をさらに有することを特徴とする縫い目なし丸編着用物を製作する方法を構成する。
【００２５】
また、本発明においては、請求項２０に記載のように、
請求項１９に記載の縫い目なし丸編着用物を製作する方法において、前記第１の管状部分における前記腕部を通す孔と前記頚部を通す孔とを完成させるために、肩縫いを行う段階をさらに有することを特徴とする縫い目なし丸編着用物を製作する方法を構成する。
【００２６】
また、本発明においては、請求項２１に記載のように、
請求項１７に記載の縫い目なし丸編着用物を製作する方法において、前記第２の管状部分の下縁部において脚を通す孔を完成させる段階をさらに有することを特徴とする縫い目なし丸編着用物を製作する方法を構成する。
【００２７】
また、本発明においては、請求項２２に記載のように、
請求項１７に記載の縫い目なし丸編着用物を製作する方法において、接合は、縫い合わせ、編み合わせまたは接着留めによって行われることを特徴とする縫い目なし丸編着用物を製作する方法を構成する。
【００２８】
また、本発明においては、請求項２３に記載のように、
請求項１７に記載の縫い目なし丸編着用物を製作する方法において、前記第２の管状部分は、前記第２の管状部分が折り返されると、前記帯部分を覆うことを特徴とする縫い目なし丸編着用物を製作する方法を構成する。
【００２９】
また、本発明においては、請求項２４に記載のように、
請求項１７に記載の縫い目なし丸編着用物を製作する方法において、前記第１の管状部分の端部を仕上げ加工して、シャツ、つなぎ服、レオタード、アームバンド、手首バンド、帽子、レギンス、ストッキングおよび靴下からなる群から選ばれる該着用物の開口部を形成する段階をさらに有することを特徴とする縫い目なし丸編着用物を製作する方法を構成する。
【００３０】
また、本発明においては、請求項２５に記載のように、
請求項１７に記載の縫い目なし丸編着用物を製作する方法において、前記第２の管状部分の端部を仕上げ加工して、シャツ、つなぎ服、レオタード、アームバンド、手首バンド、帽子、レギンス、ストッキングおよび靴下からなる群から選ばれる該着用物の開口部を形成する段階をさらに有することを特徴とする縫い目なし丸編着用物を製作する方法を構成する。
【００３１】
また、本発明においては、請求項２６に記載のように、
請求項１７に記載の縫い目なし丸編着用物を製作する方法において、前記帯部分の内側に形成されるポケットと連通するスリットまたは開口部を形成する段階をさらに有することを特徴とする縫い目なし丸編着用物を製作する方法を構成する。
【００３２】
また、本発明においては、請求項２７に記載のように、
請求項１８に記載の縫い目なし丸編着用物を製作する方法において、電子装置を前記帯部分内に、前記帯部分に形成されるスリットを介して挿入するとともに前記電子装置を少なくとも１個の前記電極に接続する段階をさらに有することを特徴とする縫い目なし丸編着用物を製作する方法を構成する。
【００３３】
また、本発明においては、請求項２８に記載のように、
請求項２６に記載の縫い目なし丸編着用物を製作する方法において、電子装置を前記開口部内に挿入する段階をさらに有することを特徴とする縫い目なし丸編着用物を製作する方法を構成する。
【００３４】
また、本発明においては、請求項２９に記載のように、
請求項２６に記載の縫い目なし丸編着用物を製作する方法において、前記ポケット内に収納される電気または電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする縫い目なし丸編着用物を製作する方法を構成する。
【００３５】
また、本発明においては、請求項３０に記載のように、
請求項２６に記載の縫い目なし丸編着用物を製作する方法において、前記ポケット内に収納される電気または電子部品は、電線、ケーブル、相互連結部、コネクタ、ＲＩＰバンドまたはスナップであることを特徴とする縫い目なし丸編着用物を製作する方法を構成する。
【００３６】
また、本発明においては、請求項３１に記載のように、
請求項１７に記載の縫い目なし丸編着用物を製作する方法において、第２の管状つぎ目部分または連結部分を前記第２の管状部分に編み付けてから編み出す第４のコースを実行する段階と、第３の管状部分を前記第２の連結部分に編み付けてから編み出す第５のコースを実行する段階と、前記第２の連結部分内の折り目において前記第３の管状部分を前記第２の管状部分の上に折り畳む段階と、前記折り目から離間する位置において、前記第２の管状部分を前記第３の管状部分に前記管状部分の全周にわたって接合して、第２のつぎ目部分または帯部分を形成する段階と、前記第３の管状部分を折り返す段階とをさらに有することを特徴とする縫い目なし丸編着用物を製作する方法を構成する。
【００３７】
また、本発明においては、請求項３２に記載のように、
人体胴部に適合する継目なし丸編着用物を製作する、縫い目なし丸編着用物を製作する方法において、単層の管体を編んで形成する段階と、前記単層の管体を折り目のまわりにおいて折り畳んで、内側および外側部分を有する二重層管体を形成する段階と、前記折り目から、あらかじめ設定された距離において前記二重層管体の全周にわたる接合線に沿って前記管体の部分を互いに接合して、円筒管状の管状帯部分または二重つぎ目部分を形成する段階と、前記二重層の前記外側部分を前記内側部分から離すともに、前記外側部分を前記接合線のまわりにおいて折り返して、該着用物の単層の上側部分と、帯部分と、単層の下側部分とを形成する段階とを有し、前記帯部分は、該着用物が着用されると、人体胴部に接触することを特徴とする縫い目なし丸編着用物を製作する方法を構成する。
【００３８】
また、本発明においては、請求項３３に記載のように、
請求項３２に記載の縫い目なし丸編着用物を製作する方法において、前記管体において前記折り目の両側に、着用者の皮膚に接触する第１の電極と電子装置に接続される第２の電極とを形成する段階をさらに有し、前記第１の電極は、前記管体が折り畳まれた後には、前記帯部分内において前記第２の電極に物理的に接触することを特徴とする縫い目なし丸編着用物を製作する方法を構成する。
【００３９】
また、本発明においては、請求項３４に記載のように、
請求項３２に記載の縫い目なし丸編着用物を製作する方法において、前記帯部分の内側部分と連通する開口部を形成する段階をさらに有することを特徴とする縫い目なし丸編着用物を製作する方法を構成する。
【００４０】
また、本発明においては、請求項３５に記載のように、
請求項３２に記載の縫い目なし丸編着用物を製作する方法において、前記上側部分において頚部を通す孔と腕部を通す孔とを完成させる段階をさらに有することを特徴とする縫い目なし丸編着用物を製作する方法を構成する。
【００４１】
また、本発明においては、請求項３６に記載のように、
請求項３５に記載の縫い目なし丸編着用物を製作する方法において、前記上側部分において肩縫いを行なって、頚部を通す孔と腕部を通す孔とを完成させる段階をさらに有することを特徴とする丸編着用物を製作する方法を構成する。
【００４２】
また、本発明においては、請求項３７に記載のように、
請求項３２に記載の縫い目なし丸編着用物を製作する方法において、前記下側部分において脚部を通す孔を仕上げ加工する段階をさらに有することを特徴とする丸編着用物を製作する方法を構成する。
【００４３】
また、本発明においては、請求項３８に記載のように、
請求項３２に記載の縫い目なし丸編着用物を製作する方法において、接合は、縫い合わせ、編み合わせ、熱封着、スポット接着および棒止めからなる群から選ばれることを特徴とする縫い目なし丸編着用物を製作する方法を構成する。
【００４４】
また、本発明においては、請求項３９に記載のように、
請求項３３に記載の縫い目なし丸編着用物を製作する方法において、電子装置を前記帯部分内に挿入する段階をさらに有することを特徴とする縫い目なし丸編着用物を製作する方法を構成する。
【００４５】
また、本発明においては、請求項４０に記載のように、
請求項３３に記載の縫い目なし丸編着用物を製作する方法において、電子装置を前記帯部分内に、前記帯部分に形成される開口部を介して挿入するとともに前記電子装置を前記第１および第２の電極に接続する段階をさらに有することを特徴とする縫い目なし丸編着用物を製作する方法を構成する。
【００４６】
また、本発明においては、請求項４１に記載のように、
請求項４０に記載の縫い目なし丸編着用物を製作する方法において、前記電子装置は、心拍数監視装置、心電信号、脳波または心拍数変動監視装置、筋電計、ペースメーカー読取装置、電気皮膚センサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯であることを特徴とする縫い目なし丸編着用物を製作する方法を構成する。
【００４７】
また、本発明においては、請求項４２に記載のように、
請求項４０に記載の縫い目なし丸編着用物を製作する方法において、前記帯部分に収納される電気または電子部品は、電線、ケーブル、相互連結部、コネクタ、ＲＩＰバンドまたはスナップであることを特徴とする縫い目なし丸編着用物を製作する方法を構成する。
【００４８】
また、本発明においては、請求項４３に記載のように、
請求項３２に記載の縫い目なし丸編着用物を製作する方法において、前記帯部分内または前記帯部分上に電極を形成する段階をさらに有することを特徴とする縫い目なし丸編着用物を製作する方法を構成する。
【００４９】
また、本発明においては、請求項４４に記載のように、
請求項４３に記載の縫い目なし丸編着用物を製作する方法において、前記電極は、前記管体内に一体的に編み込まれる電極と、縫い付けられる電極と、前記帯部分内において重なり合う前記接合線の両側の第１および第２の布地電極と、導電性繊維接合部を介して電気的に接続される層電極と、熱圧着加工される金属ポリマー電極とからなる群から選ばれることを特徴とする縫い目なし丸編着用物を製作する方法を構成する。
【００５０】
また、本発明においては、請求項４５に記載のように、
請求項３２に記載の縫い目なし丸編着用物を製作する方法において、第２の周方向の管状帯部分または二重つぎ目部分を形成する段階をさらに有し、前記第２の帯部分は、該着用物が着用されると、人体胴部に接触することを特徴とする縫い目なし丸編着用物を製作する方法を構成する。
【００５１】
また、本発明においては、請求項４６に記載のように、
縫い目なし丸編着用物を製作する方法において、単層の管体を編む段階と、拾い縫いを用いて前記管体内につぎ目部分または帯部分を形成する段階と、前記単層の管体の一部分を前記つぎ目部分または帯部分の上に折り畳む段階と、前記管体を仕上げ加工して、該着用物を形成する段階とを有し、前記帯部分は、該着用物を着用する着用者の皮膚に接触することを特徴とする縫い目なし丸編着用物を製作する方法を構成する。
【００５２】
また、本発明においては、請求項４７に記載のように、
請求項４６に記載の縫い目なし丸編着用物を製作する方法において、電極を前記帯部分内または帯部分上に形成する段階をさらに有することを特徴とする縫い目なし丸編着用物を製作する方法を構成する。
【００５３】
また、本発明においては、請求項４８に記載のように、
請求項４６に記載の縫い目なし丸編着用物を製作する方法において、拾い縫いを用いて前記管体に第２のつぎ目部分または帯部分を形成する段階をさらに有し、前記第２の帯部分は、該着用物を着用する着用者の皮膚に接触することを特徴とする縫い目なし丸編着用物を製作する方法を構成する。
【発明の効果】
【００５４】
本発明の実施によって、中央部分に帯部分を有し、上側および下側部分が単層の布である衣服と、その製造方法とを提供することが可能となり、たとえば、着用者の胴部のまわりにぴったりとフィットする着用物または衣服であって、着用者の生体生理学的信号等の信号を監視する電極システムと電子装置とを有する着用物を提供することが可能となり、着用者の生体生理学的信号等の信号を外部から監視することが容易となるという効果が得られる。
【発明を実施するための最良の形態】
【００５５】
第１の様態において、本発明に係る丸編管体を用いて製作される着用物は、第１および第２の管状端部を有する第１の単層管状部分と、第１および第２の管状端部を有する第２の単層管状部分とを有し、管状二重つぎ目部分または連結部分が、前記第１の単層管状部分と前記第２の単層管状部分との間に配置される。連結部分が折り畳まれ、前記連結部内に折り畳み部を形成しているときに、第１の管状部分と第２の管状部分とが互いに接合されて、前記連結部分においてつぎ目部分または帯部分が形成される。このように形成される帯部分は、着用物内に配置されて、着用者の胸部、胴部、腹部、脚部、腕部または前頭部のまわりに巻きつき、かつ接触する。最も望ましくは、前記第１および第２の単層管状部分と前記連結部分とは、１個の継目なし丸編管体により連続的に形成される。
【００５６】
美観を高めた衣服または着用物を創出するために、第２の単層管状部分の第２の端部は、第１の管状部分と連結部分または第２の管状部分とが接合される位置に形成される線においてつぎ目部分または帯部分の上に折り返されて、第２の単層管状部分が帯部分を覆うようになる。衣服または着用物は、その後、仕上げ加工される。たとえば、第１の単層管状部分の第１の端部は、仕上げ加工されて、肩部分と、腕部を通す孔と、頚部を通す孔とが形成され、第２の単層管状部分の第２の端部は、仕上げ加工されて、脚部を通す孔またはシャツの縁が創出される。代表的な衣服または着用物には、シャツ、つなぎ服、レオタード、アームバンド、手首バンド、帽子、レギンス、ストッキングおよび靴下が含まれる。
【００５７】
折り返された連結部分により形成される帯部分は、電気または電子装置または部品が挿入、収容、取付けまたは配設されうる中央開口部を形成する。電気または電子装置あるいは電気または電子部品は、１個以上の電極に取り付けられうるか、または１個以上の電極と通信しうる。前記中央開口部は、電子装置またはその他の部品を受け入れるスロットまたは開口部と連通しうる。代表的な電子装置には、心拍数監視装置、心電信号、脳波または心拍数変動監視装置、筋電計、ペースメーカー読取装置、電気皮膚センサ等のセンサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯が含まれる。前記中央開口部内に挿入されうるか、または前記中央開口部に付随しうるその他の部品には、電線、ケーブル、相互連結部、コネクタ、光ファイバー光導体、ＲＩＰバンドまたはスナップが含まれる。
【００５８】
ひとつの実施の形態例において、前記連結部分は、１個以上の布地電極を自身内に形成されて有する。また他の実施の形態例において、前記連結部分を折り畳むことにより、第１の布地電極が、前記連結部分に形成される第２の布地電極と物理的かつ電気的に接触する。中央開口部内の電気装置は、少なくとも１個の前記布地電極と通信する。さらに他の実施の形態例において、１個を超える個数の帯部分または二重つぎ目部分が着用物に形成される。
【００５９】
また他の形態においては、継目なし丸編着用物の製作方法において、
第１の管状部分を編み出す第１連のコースを実行する段階と、
管状つぎ目部分または連結部分を前記第１の管状部分に編み付けてから編み出す第２連のコースを実行する段階と、
第２の管状部分を前記連結部分に編み付けてから編み出す第３連のコースを実行する段階と、
前記連結部分内の折り目において前記第２の管状部分を前記第１の管状部分の上に折り畳む段階と、
前記折り目から離間する位置において前記第１の管状部分を前記第２の管状部分に前記管状部分の全周にわたって接合して、つぎ目部分または帯部分を形成する段階と、
前記第２の管状部分を折り返す段階とを有することを特徴とする継目なし丸編着用物の製作方法である。
【００６０】
接合は、縫い合わせ、編み合わせ、熱封着、スポット溶接または接着によって行なわれうる。ひとつの実施の形態例において、第２の管状部分は、該第２の管状部分が折り返されると、つぎ目部分または帯部分を覆って、衣服または着用物の美観を高める。前記方法段階を繰り返して、第２または多数のつぎ目部分または帯部分を衣服に形成することができる。
【００６１】
所望の特徴を有する衣服または着用物が形成されうる。たとえば、頚部を通す孔および腕部を通す孔は、第１の管状部分に形成され得、脚部を通す孔またはシャツの縁は、第２の管状部分に形成されうる。前記方法にしたがって製作される代表的な衣服または着用物には、シャツ、つなぎ服、レオタード、アームバンド、手首バンド、帽子、レギンス、ストッキングおよび靴下が含まれる。
【００６２】
ひとつの実施の形態例において、第１および第２の布地電極は、円周管状の形状の連結部分内に形成されて、第１の電極が着用者の皮膚に接触し、第２の電極が電子装置に接続され、第１の電極は、前記連結部分が折り畳まれた後に、第２の電極に物理的に接触する。
【００６３】
また他の実施の形態例においては、１個以上の電極が、前記連結部分において帯部分またはつぎ目部分内または上に形成されうる。前記電極は、管体内において一体的に編み込まれる電極、縫い付けられる電極、帯部分内において重なり合う、接合線の両側の第１および第２の布地電極、導電性繊維接合部を介して電気的に接続される層電極および熱圧着加工される金属ポリマー電極のいずれか１つ以上でありうる。
【００６４】
前記方法は、前記帯部分内に形成される開口部内に、前記帯部分に形成されるスリットまたは開口部を介して、電子装置またはその他の部品を挿入する段階をさらに含む。前記電子装置は、心拍数監視装置、心電信号、脳波または心拍数監視装置、筋電図、ペースメーカー読取装置、電気皮膚センサ等のセンサ、パルス酸素濃度計、サーミスタ、アンテナ、加速度計、電池、データロガー、無線送信器、表示装置、個人用音楽プレーヤー、スピーカ、携帯電話、携帯情報端末、加温または冷却装置、呼吸センサ、ＬＥＤ、光源、振動器、ドップラー計測器、ひずみ計、皮膚当て布、注射器具、止血帯または圧迫帯でありうる。前記開口部内に挿入されうるか、または前記開口部に付随しうるその他の部品には、電線、ケーブル、相互連結装置、コネクタ、光ファイバー光導体、ＲＩＰバンドまたはスナップが含まれる。
【００６５】
前記に記載の特徴および利点に加えて、本発明の新規な特徴および利点は、同様の参照符号が同様の部分を示す添付図面とともに以下の詳細な説明を読むことにより、当業者には明らかになろう。
【００６６】
（実施の形態例）
図面を詳細に参照すると、図１に、上側部分１０（第１の単層管状部分）と、下側部分２０（第２の単層管状部分）と、前記上側部分１０と前記下側部分２０との間の連結部分の帯部分３０とからなる一般に管状の丸編み衣服８が示されている。衣服８は、胸に向けて下がるネックラインを有する袖なしシャツであるが、要望に応じて、袖またはその他の様式のネックラインを有して形成されうる。部分１０および２０は、以下により詳細に説明されるように、縫い合わせにより帯部分３０に接合される。帯部分３０は、略管状の形状の衣服８の内周のまわりに延在する略管状の形状を有する。要望があれば、多数の帯部分が衣服８に形成されうるが、図１には、単一の帯部分３０が示されている。帯部分３０は、電気または電子装置２００またはその他の部品が挿入または収容されうる中央開口部を自身内に形成する。
【００６７】
帯部分３０は、任意で、電極システム３２を含みえて、その電極システム３２は、帯部分３０の非導電部分により取り巻かれるとともに前記非導電部分から電気的に絶縁される。電極システム３２は、衣服に内蔵される場合は、図２に示される電気信号処理装置等の電気または電子装置２００とともに用いられるように適合化されうる。この電気または電子装置２００は、心拍数監視装置、心電信号、脳波または心拍数変動監視装置、筋電図、ペースメーカー読取装置、電気皮膚センサ等のセンサ、パルス酸素濃度計、サーミスタ、アンテナ、加速度計、電池、データロガー、無線送信器（ポーラー（Polar）製ウェアリンク送信機（WEARLINK  transmitter）等）、表示装置、個人用音楽プレーヤー（たとえばＭｐ３）、スピーカ、携帯電話、携帯情報端末、加温または冷却装置、呼吸センサ、ＬＥＤ、光源、振動器、ドップラー発信器または受信器、ひずみ計、皮膚当て布、注射器具、止血帯または圧迫帯でありうる。前記電気装置２００は、開口部３５を介して挿入されうる。
【００６８】
電気装置２００に追加されるものまたは代わるものとして、帯部分３０は、自身内または自身上において、電線、ケーブル、相互連結装置、コネクタ、光ファイバー光導体、ＲＩＰバンドそしてまたはスナップ等のその他の部品（図示せず）を収容または保持しうる。
【００６９】
前記電気装置２００は、たとえば監視される生体生理学的信号を代表とする信号を、図３に示される手首装着式表示装置２０２等の表示装置に送信しうる。この表示装置は、運動器具または医療器具またはその他の装置（図示せず）内に収容されてもよい。前記表示装置２０２は、電気装置２００から伝えられる電気信号を表す表示を行なう。電極システム３２は、着用者の皮膚への電気信号または着用者の皮膚からの電気信号の送信に適合可能である。たとえば、このような布地電極は、受動的に測定される信号を用いて、かつ/または加えられる電気的刺激に対する身体反応を測定して、着用者の生体生理学的な監視を行なうようにされうる。
【００７０】
布地電極システム３２は、任意で、図５に示されるように（図１２〜１６も参照）、少なくとも部分的に重複する関係に配置されて、たとえば図１に示される衣服８の上側管状部分１０と下側管状部分２０との間の連結部に接続される帯部分３０を形成する第１の布部分３４と第２の布部分３６とを少なくとも有しうる。前記第１の布部分３４は、少なくとも第１の導電部分（第１の「電極」）３２ａからなり得、前記第２の布部分３６は、少なくとも第２の導電部分（第２の「電極」）３２ｂを構成要素としうる。第１の電極３２ａと第２の電極３２ｂとは、協働して、前記電極３２ａおよび３２ｂの対向面間において少なくとも部分的な物理的接触部分をもたらす。この物理的接触部分が、以って、第１および第２の電極間における電気伝導を確立する。これらの電極は、布地製でありえるとともに、帯部分３０の非導電性の布と完全に一体化可能であって、前記電極を着用者の身体に接触させうる。
【００７１】
図４に、図１の衣服と同様に構成される、帯部分３０を内蔵するつなぎ服９が図示されている。このつなぎ服９は、ユニタードまたはレオタードまたはスポーツウェアまたはアスレチックウェアでありうる。一般に、帯部分３０は、衣服８または９の略胴部または胸部に配置されうる。衣服または着用物９の帯部分３０と上側部分１０とは、衣服または衣服８のこうした部分と実質的に同様でありうる一方で、下側部分２０’は、股部分と脚部分とを含む。
【００７２】
つなぎ服９の上側部分１０は、袖または異なるネックラインまたは当業者に周知のその他の上衣の特徴（図示せず）を有するようにされてもよい。衣服の特定の例には、シャツ、タンクトップ、レオタードまたはユニタード等の上半身と下半身との全身用衣服および下着が含まれる。管状の着用物は、バンド、帯、ストッキングまたはレギンスとなって、腕部または脚部のまわりに用いられるようにもされうる。以下に、特に、着用物として衣服８を参照して、本発明を一般に説明するが、このように参照される特定の衣服は、単なる例証にすぎないことが理解されるべきである。
【００７３】
図５〜１１に示されるように、衣服構造に内蔵されうる任意の電極システム３２は、衣服８と完全に一体化されるとともに、着用者の身体に接触するようにされうる導電部分、すなわち電極３２ａおよび３２ｂからなりうる。図５では、単純化のため、および帯部分３０の外側布部分３６上における電極３２ｂの配向を示すために、上側および下側部分１０および２０は省略されている。図５には、さらにまた、あらゆる電気雑音の低減または消去のために設けられうるとともに、導電体または電線３９により電極システム３２に接続されうる任意の接地電極３７が図示されている。任意の追加電極を有するシステムは、２００５年９月３０日出願の「３個の電極を有する生理学的監視用着用物（Physiological  Monitoring  Wearable  Having  Three  Electrodes）」という名称の、係属中の米国特許出願第１１/１６３，０１７号に説明されており、前記出願の開示内容は、あらゆる有用な目的のために、参照として本明細書に取り入れられる。
【００７４】
編み構造は、衣服８の非導電性の布と任意の電極システム３２の導電性の布とに用いられうる。この編み構造は、たとえば、シングルジャージ、モックリブ編みおよびゴム編み１×１および１×３構造の中から選ばれうる。当業者には周知のように、このような編地において、ウェール、すなわち縦に列をなす編目は、一般に、布の表側（奇数ウェール）と裏側（偶数ウェール）とにおいて交互に結合する。この種のゴム編地は、長さおよび幅方向に良好な弾性を有することがわかっており、身体形状に良好にフィットする衣服が得られる。電極システム３２に用いられる導電糸は、帯部分３０の第１および第２の布部分３４および３６から電気的に絶縁されうる。
【００７５】
非導電糸または従来の織編用糸は、前記布部分の大部分に有利に用いられうる。これらの糸には、たとえば、綿、セルロース系繊維、絹、ラミー、ポリエステルおよび/またはナイロンが含まれうる。前記布部分は、ポリエステルおよびナイロンの「硬い」糸と、米国デラウェア州ウィルミントンのインビスタ社（INVISTAＴＭ S.a.r.l.）製スパンデックスの商標であるライクラ（LYCRA(R)）等の弾性糸とを組み合わせたものも含みうる。
【００７６】
導電糸を任意の電極システム３２の一部分として用いて、身体との電気接続を確立させることができる。たとえば、第１および第２の布地電極３２ａおよび３２ｂは、帯部分３０の布の一部分に縫い付けられるか、編み込まれるか、または織り込まれて、当て布状または畝状の導電性の編地を形成する導電糸であってもよい。例証的な導電糸は、カラヤンニ（Karayianni）の国際特許第２００４/０９７０８９Ａ１号に開示されており、前記特許の開示内容は、あらゆる有用な目的のために、参照として本明細書に取り入れられる。
【００７７】
導電糸としての使用に適する材料には、たとえば、前記の国際特許第２００４/０９７０８９Ａ１号（カラヤンニ（Karayianni））に開示された糸が含まれる。前記特許に開示の弾性導電糸（中空スピンドルの二重被覆７０デニール紡績ナイロン糸およびエレクトロ・ファインドラート（Elektro Feindraht）の２０ミクロンの銀メッキ銅線）は、以下ではＥＴＧ１糸と呼ぶライクラ（LYCRA(R)）のタイプ１６２「透明」の上において、本質的に、弾性的伸縮性を達成しうるとともに、本明細書に開示のような編み構造に向きうる。国際特許第２００４/０９７０８９Ａ１号の開示にしたがった弾性導電糸の製作に適する非弾性導電フィラメントには、米国ジョージア州マリエッタのベカルト・ファイバー・テクノロジーズ（BEKAERT Fiber Technologies）製の糸（このような糸は、コンデュフィル（CONDUFIL(R)）８０デシテックスかつ２４フィラメントの糸からなりうる）とレアード・ソーコイト・インダストリーズ（Laird Sauquoit Industries）（米国ペンシルヴェニア州スクラントン郵便番号１８５０５）製エクスタティック（Xstatic(R)）（たとえば７０デニールかつ３４フィラメントの７０デニール２本撚り銀鍍金ナイロン糸）とを含む。
【００７８】
図６〜１０に、これもまた前記に参照として引用され、かつ取り入れられた２００５年３月１６日出願の米国特許出願第１１/０８２，２４０号に説明されているいくつかの任意の例証的な電極が図示されている。図６および７に、隆起部分または畝部３８を有する導電糸編み当て布３３からなりうる内側、または第１の電極３２ａの上面図および底面図の略図が示されている。図８および９には、隆起部分または畝部４０を有する導電糸編み当て布４３からなりうる外側、または第１の電極３２ｂの上面図および底面図の略図が示されている。図１０には、内側電極３２ａに関して図示されたものとはまた別の上面設計を有する電極３２ａ’が示されている。電極３２ａ’は、ゴム編構造（たとえば１×１または１×３のゴム編）を含む異なる種類の編み構造を用いて製作される連続的な一連の畝部４０’を有しうる。これらのいずれの電極の設計も、任意の接地電極３７の形成において採用されうる。
【００７９】
次に、本発明の作用の様態をより具体的に説明する。再び図１および４を参照すると、衣服８および９は、一体的な布地電極システム３２を有する帯部分３０を有して図示されている。図５にも示されているように、金属コネクタ５０またはスナップが設けられて、開口部３５を介して帯部分の内側に挿入されうる電気または電子装置２００に接続されうる。開口部３５は、第２の布部分３６のみに設けられてもよく、または任意で下側部分２０に設けられてもよい。布部分３４上の電極３２ａおよび３７は、図５においては、配向を示すために破線で示されている。
【００８０】
図１１に、図１の線９−９における部分断面図が示されており、電気または電子装置２００が第１および第２の布部分３４および３６間においてどのように保持され、かつ任意の電極３２ａおよび３２ｂに対して配向されるかが図示されている。前記装置２００は、着用者の心臓の電気的活動または着用者の呼吸による胸部の動きに関連ある電気信号、たとえば、単位時間毎の心拍数の検出等の生体生理学的監視を行なうことができる。装置２００は、開口部３５を介して、折り返された帯部分３０の対向布面３４および３６間の空間内に挿入される。装置２００は、導電糸部分３２ｂに取り付けられる導電接点５０と係合する２個の球状の電極コネクタ２１０を有しうる。導電接点５０は、たとえば金属導電体等のあらゆる導電材料により製作されうる。導電接点２１０は、部分的に球状の外形を有して、接点５０とスナップ接続されうる。この用途に適するスナップ係合接点５０は、たとえば英国グロースターシャー州リドニー市ホワイトクロフトのＰＲＹＭ  ＮＥＷＥＹ  テキスタイル・グループ（PRYM NEWEY  Textile  Group）から入手可能な１１ｍｍの接点でありうる。補強布（図示せず）が、各スナップ５０の裏に、たとえばインビスタ社（INVISTA S.a.r.l.）から入手可能なコーデュラ/クールマックス（CORDURA/COOLMAX(R)）の織布片の形態をとって設けられうる。これらの補強布は、摩耗を減少させる役割を果たすとともに、布電極３２ｂ内に配置されるスナップ５０の耐用寿命を延ばすのに役立ちうる。
【００８１】
電極システム３２を介して、電気信号は、電極３２ｂと接点５０とを経て、電気装置２００に関連ある導電接点２１０に伝えられうる。当然ながら、これに代わる方法として電気信号が逆に電気装置２００から発せられて電極３２ａにより皮膚に伝えられうることは予期される。
【００８２】
布地電極を含むようになっている帯部分を胸部に有する着用物を製作するための簡易かつ費用効果的な方法は、一例として図１２〜１６に示されている。図１および４の衣服８または９等の着用物は、継目なし（丸）編機を用いて製作されうる。丸編工程は、ＳＭＡ−８−ＴＯＰ１継目なしボディサイズ１３インチのサントーニ（SANTONI）編機（イタリア国グルッポ・ロナティ（GRUPPO LONATI）製）等の商業的に入手可能な装置において行なわれうる。
【００８３】
最初に図１２を参照すると、編地１１は、線Ｂ−Ｂ’の上および下に配向される第１の部分３４と第２の部分３６とを有する連結部分３１により分離されるとともに、前記連結部分に接続される上側部分１０と下側部分２０とを有する単一の丸編管体として形成される。好ましくは、部分１０、２０および３１は、同じ丸編管体により継目なしに、かつ連続的に形成される。これに代わる方法として、これらの部分は、別個に形成されるとともに、縫い合わせ、切って縫い合わせる方法および当業者に周知のその他の接合方法により、互いに接合されて、図１２に示される編地１１を形成しうる。
【００８４】
縫目パターンは、上側部分１０を形成する第１のコースと連結部分３１を形成する第２のコースとの間において、第１の丸編パターンから第２の丸編パターンに変化しうる。この編目パターンは、その後、連結部分３１を形成する第２のコースと編地１１の下側部分２０を形成する第３のコースとの間において、再び第２の丸編パターンから変化しうる。連結部分３１は、上側部分１０との間の直線状の接続部と下側部分２０との間の直線状の接続部とを有して図示されているが、編目パターンをこれらの接続部において変化させて、曲線状またはその他の形状の接続部分を形成させてもよい。
【００８５】
管状編地１１の形成が終わると、前記方法の次の段階は、図１３および１４に示されている。下側部分２０と編地１１の第２の部分３６とが、上側部分１０と第１の布部分３４との上に図１２の線Ｂ−Ｂ’のまわりにおいて折り返されて、図１３および１４に示されるように、二層の管状編地１１’が形成される。図１３において、管状編地１１’は、裏返されて図示されており、電極３２ａの位置が示されている。図１４においては、図１２の線Ｂ−Ｂ’のまわりにおける折返し工程により形成されるところの管状編地１１’が図示されており、布部分３６上における電極３２ｂの配置が示されている。図１３および１４は、いずれの図にも二層の管状編地１１’が示されているが、図１３は、こうした管状編地１１’が図１４に図示されている管状編地１１’の状態から裏返されて示されているという関係にある。
【００８６】
連結部分３１の第１および第２の布部分３４および３６は、次に、線Ｃ−Ｃ’において編地の全周にわたって縫い合わせ、接着またはその他の適切な方法により接合または結合されて、帯部分３０を形成しうる。Ｂ−Ｂ’からＣ−Ｃ’までの距離、すなわち帯部分３０の幅は、布部分３４および３６間において該帯部分内に保持される装置２００の大きさに基づいて決定されてもよく、またはその他の設計パラメータに基づいてもよい。前記布部分がこのようにして接合されると、帯部分３０は、布部分３４および３６の対向面間において内部空間を形成する。電極３２ａおよび３２ｂの対向面は、帯部分３０内のこの内部空間内において互いに接触する。サニトーニ（SANITONI）機等の丸編機において、前記接合段階は、トランスファジャックに所望の個数のコース分の糸を保持させて、連結部分において前記つぎ目部分または帯幅を形成することによって達成されうる。その後、トランスファジャックが目移しを行なって、折り返し部分の二重のつぎ目部分または帯部分が再結合または形成されるとともに、衣服の残りの部分が全周にわたって編み続けられる。第２または多数の二重つぎ目部分または帯部分が単一の衣服に形成される場合は、これらの段階が繰り返されうる。この工程を必要とされる回数だけ何度も繰り返して、衣服に複数の帯部分を形成することができる。
【００８７】
布部分３４および３６が接合されて帯部分３０が形成されると、次に、編地１１’の下側部分２０は、図１４の線Ｃ−Ｃ’のまわりの回転矢印により示されるように、線Ｃ−Ｃ’のまわりにおいて上側部分１０から再び下方に折り返されて、図１５に示される管状編地１１”が形成されうる。図１５の管状編地１１”は、これにより、上側部分１０の単層の布と、下側部分２０の単層の布と、下側部分２０と上側部分１０との間の中央部分または連結部分において形成される帯部分３０とを有する。下側部分２０の布は、帯部分３０の上に重なるとともに、電極３２ｂを覆い隠す。
【００８８】
図１７に、図１５の線１５−１５における断面図が示されており、管状編地１１”における帯部分３０の構造がよりわかりやすく図示されている。帯部分３０は、管状編地１１”の全周にわたって延在するとともに、衣服の下側部分２０を形成する折り返された布により覆われる。したがって、図１７は、管状編地１１”の前側と後側との両方の帯部分３０の断面図である。管状編地１１”の前側の帯部分３０は、電極３２ａおよび３２ｂを含む（図１７の左側部分参照）が、この断面図の場合は、管状編地１１”の後側の帯部分３０は、電極を含まない（図１７の右側参照）。電極は、帯部分３０内のさまざまな位置に配置されうるため、図１７に限定することが意図されるわけではない。図１７には、縫い合わせにより達成される線Ｃ−Ｃ’（図１４に図示）に沿った接続部を表す縫い目４５が示されている。前記のように、連結部分におけるこうした接続は、縫い付け（たとえば棒止め）、編み合わせ（たとえばダイアル編み）、熱封着またはスポット接着等のその他の接合手段または技術によって行なわれてもよい。
【００８９】
最後に、腕部を通す孔、ネックラインおよび裾縁を裁断で形成するともに、仕上げ加工を施して、図１６に示されるような完成品の衣服８を形成することができる。これに代わる方法として、裾縁は、一体的な編みつぎ目部分または帯部分として形成されてもよい。図４の上下続きのユニタードまたはレオタードを創出するために、また他の方法として、下側部分２０を裁ち切るとともに縫い合わせて、脚部を通す孔および股部を形成させてもよい。
【００９０】
衣服８、９は、こうした着用物が電極またはその他の生理学的監視手段を含む場合により良好な接触のために、着用者の胸部または胴部のまわりにおいてよりぴったりとフィットしうる帯部分３０を有する。衣服８、９は、専ら女性用に設計されるブラジャーほど限定的ではない。このような衣服８、９は、男性にとってより着心地がよいが、女性でも着用することができるスタイルを有する。上側部分１０と下側部分２０とは、帯部分３０よりゆったりして、より着心地がよくなるような大きさとされうる。
【００９１】
前記衣服または着用物の構造は、驚くべきことに、単一層の布の上側部分１０と単一層の布の下側部分２０と略中央に配置される帯または二重つぎ目部分３０とを有する。前記衣服または着用物は、大部分において該衣服または着用物が単一層の布であるため、より着心地がよく、かつ涼しい。加えて、前記帯部分は、該帯部分が折り返された後に下側部分２０により覆い隠され、このことが衣服の美観を高める。電極およびその他の部品は、帯部分上または帯部分内に内蔵されうる。センサまたはその他の部品は、皮膚に接触しうるが、それにもかかわらず、こうしたセンサまたは部品に関連ある電極が皮膚から緩衝または絶縁されて、着心地が高められる。それが望まれる場合は、前記帯または二重つぎ目部分３０を衣服内において中央に配置しなくてもよい。加えて、要望があれば、帯状の布を別途に縫い付けることまたは第１の帯または二重つぎ目部分を丸編生地内に形成させる前記方法段階を繰り返して第２またはさらに他の帯または二重つぎ目部分分を創出すること等により、多数の帯または二重つぎ目部分を衣服内に形成させることができる。
【００９２】
当業者には、前記の詳細な説明から、本発明の精神および範囲内に含まれるさまざまな変更または改変が明らかになるため、前記の詳細な説明に示される本発明の好適な実施の形態例は、単に例証として示されていることが理解されるべきである。
【図面の簡単な説明】
【００９３】
【図１】１個以上の布地電極を含む帯部分を有する上半身用着用物（たとえばシャツ）の図である。
【図２】図１の布地電極との通信用の電気装置の図である。
【図３】図１に示された電気装置と通信するための手首装着式表示装置の図である。
【図４】上半身と下半身とに着用するようになっており、かつ図１の上半身用着用物に匹敵する布地電極を含む帯部分を有するまた他の着用物（たとえばユニタード）の図である。
【図５】帯部分のまわりに互いに離間して配置される多数の電極システムを有する帯部分または連結部分の図である。
【図６】第１の布地電極の上面図である。
【図７】第１の布地電極の底面図である。
【図８】第２の布地電極の上面図である。
【図９】第２の布地電極の底面図である。
【図１０】異なる種類の編み構造を用いて製作される導電部分からなる布地電極の図である。
【図１１】図１の線９−９における断面図を９０°だけ回転させて紙面の長手方向に合わせた、生物物理学的監視を行ないうる電子機器と通信するようになっている１対の布地電極を示す断面図である。
【図１２】編成後かつさらなる組立前の第１製造段階における丸編生地であって、帯部分において一体的な布地電極システムの部品を形成されて有する丸編生地の図である。
【図１３】折り目Ｂ−Ｂ’のまわりにおいて下側部分が上側部分の上に折り畳まれた後の、図１２の丸編生地の第１の内側面の図である。
【図１４】図１３の丸編生地の第２の内側面の図である。
【図１５】点線の折り目Ｃ−Ｃ’のまわりにおいて丸編生地の下側部分が上側部分から折り返された後の、図１３および１２の丸編生地の外側面の図である。
【図１６】アームホール、ネックラインおよびヘムが裁ち落とされ、かつ仕上げ加工された後の、図１５の丸編生地から形成された上半身用着用物（たとえばシャツ）の図である。
【図１７】図１５の帯部分または連結部分の線１５−１５における断面図である。
【符号の説明】
【００９４】
８：衣服、９：つなぎ服、１０：上側部分、１１、１１’、１１”：編地、２０、２０’：下側部分、３０：帯部分、３１：連結部分、３２：電極システム、３２ａ：第１の導電部分、３２ａ’：電極、３２ｂ：第２の導電部分、３３：導電糸編み当て布、３４：第１の布部分、３５：開口部、３６：第２の布部分、３７：接地電極、３９：電線、４０：畝部、４３：導電糸編み当て布、４５：縫い目、５０：金属コネクタ、２００：電子装置、２０２：手首装着式表示装置、２１０：電極コネクタ。
【図１】
2008111225.tif 000003
【図２】
2008111225.tif 000004
【図３】
2008111225.tif 000005
【図４】
2008111225.tif 000006
【図５】
2008111225.tif 000007
【図６】
2008111225.tif 000008
【図７】
2008111225.tif 000009
【図８】
2008111225.tif 000010
【図９】
2008111225.tif 000011
【図１０】
2008111225.tif 000012
【図１１】
2008111225.tif 000013
【図１２】
2008111225.tif 000014
【図１３】
2008111225.tif 000015
【図１４】
2008111225.tif 000016
【図１５】
2008111225.tif 000017
【図１６】
2008111225.tif 000018
【図１７】
2008111225.tif 000019